(57)【要約】【課題】  狭額縁や薄型化を達成しながら、光漏れを抑制し、気密性を高め、更には美観的に優れた液晶表示装置を提供すること。【解決手段】  対向する２枚の透明基板の間に液晶層を配置した液晶表示パネルＬＣＰと、該液晶表示パネルの画像表示領域に対応して開口部を備えると共に、該開口部を形成する額縁部分で該液晶表示パネルの周辺部分を保持する筐体ＵＦＲとを有する液晶表示装置において、該筐体と該液晶表示パネルとの間に遮光性フィルムＦＭ１が配置され、該筐体の該額縁部分の開口部側端部には、該液晶表示パネルに向かう突起１が形成されていることを特徴とする。  好ましくは、該液晶表示パネルＬＣＰ、該遮光性フィルム及び該筐体が組み合わされた状態において、該遮光性フィルムが該突起１を利用して該額縁部分に沿って切除されていることを特徴とする。【選択図】図１
2011075974.tif 000002
【特許請求の範囲】
【請求項１】
対向する２枚の透明基板の間に液晶層を配置した液晶表示パネルと、該液晶表示パネルの画像表示領域に対応して開口部を備えると共に、該開口部を形成する額縁部分で該液晶表示パネルの周辺部分を保持する筐体とを有する液晶表示装置において、
該筐体と該液晶表示パネルとの間に遮光性フィルムが配置され、
該筐体の該額縁部分の開口部側端部には、該液晶表示パネルに向かう突起が形成されていることを特徴とする液晶表示装置。
【請求項２】
請求項１に記載の液晶表示装置において、該液晶表示パネル、該遮光性フィルム及び該筐体が組み合わされた状態において、該遮光性フィルムが該突起を利用して該額縁部分に沿って切除されていることを特徴とする液晶表示装置。
【請求項３】
請求項１又は２に記載の液晶表示装置において、該遮光性シートには、予め切り込みが形成されていることを特徴とする液晶表示装置。
【請求項４】
請求項１乃至３のいずれかに記載の液晶表示装置において、該遮光性シートは熱可塑性フィルムで構成されていることを特徴とする液晶表示装置。
【請求項５】
請求項１乃至４のいずれかに記載の液晶表示装置において、該遮光性シートは導電性を有していることを特徴とする液晶表示装置。
【発明の詳細な説明】
【技術分野】
【０００１】
本発明は液晶表示装置に関し、特に、液晶表示パネルと筐体との間に遮光性シートを配置した液晶表示装置に関する。
【背景技術】
【０００２】
液晶表示装置は、液晶表示パネルと該液晶表示パネルを裏面から照明するバックライトで構成されている。そして、これらを筐体内に組み込む際には、バックライトの照明光が、液晶表示パネルの画像表示領域のみから透過し、例えば、液晶表示パネルと筐体との隙間などから漏出するのを抑制することが必要である。
【０００３】
しかも、携帯電話や携帯情報端末などの小型の液晶表示装置においては、液晶表示装置の画面枠に対する狭額縁、及び薄型化の要求があるため、額縁部分における筐体と液晶表示パネルとの隙間からの光漏れが発生し易くなる。
【０００４】
また、筐体と液晶表示パネルとの隙間は、液晶表示装置内部への湿気や塵芥が浸入する原因ともなっており、当該隙間を封止することも液晶表示装置においては重要な問題となっている。
【０００５】
光漏れ対策としては、特許文献１のように、遮光シートをバックライトと液晶表示パネルとの間の周辺部に配置する方法や、筐体の額縁部分に液晶表示パネルの表面に近づく段差部を形成し、筐体と液晶表示パネルとの隙間を少なくする方法、液晶表示パネルを保持するモールドフレームを黒色化して遮光性を高める方法、さらには、筐体の額縁部分から液晶表示パネルの周囲に渡り黒印刷を施す方法などが提案されている。
【０００６】
しかしながら、これらの方法で筐体と液晶表示パネルとの隙間を完全に塞ぐことは困難であるため、光漏れを全て遮断することは不可能であった。また、遮光性や密閉性を上げるため、弾性のある遮光材を用い、筐体と液晶表示パネルとの間で圧し付け隙間を封じる方法もあるが、この場合には、遮光材の厚みにより、液晶表示装置の厚みが増し、薄型化の要求を満足することができない。しかも、狭額縁化された筐体では、額縁の側縁部から遮光材の一部が食み出し易く、美観を損なうという問題も生じる。
【先行技術文献】
【特許文献】
【０００７】
【特許文献１】特開２００２−９８９４５号公報
【発明の概要】
【発明が解決しようとする課題】
【０００８】
本発明の解決しようとする課題は、上述した問題を解消し、狭額縁や薄型化を達成しながら、光漏れを抑制し、気密性を高め、更には美観的に優れた液晶表示装置を提供することである。
【課題を解決するための手段】
【０００９】
本発明の表示装置は、上述した課題を解決するため、以下のような特徴を有する。
【００１０】
（１）  対向する２枚の透明基板の間に液晶層を配置した液晶表示パネルと、該液晶表示パネルの画像表示領域に対応して開口部を備えると共に、該開口部を形成する額縁部分で該液晶表示パネルの周辺部分を保持する筐体とを有する液晶表示装置において、該筐体と該液晶表示パネルとの間に遮光性フィルムが配置され、該筐体の該額縁部分の開口部側端部には、該液晶表示パネルに向かう突起が形成されていることを特徴とする。
【００１１】
（２）  上記（１）に記載の液晶表示装置において、該液晶表示パネル、該遮光性フィルム及び該筐体が組み合わされた状態において、該遮光性フィルムが該突起を利用して該額縁部分に沿って切除されていることを特徴とする。
【００１２】
（３）  上記（１）又は（２）に記載の液晶表示装置において、該遮光性シートには、予め切り込みが形成されていることを特徴とする。
【００１３】
（４）  上記（１）乃至（３）のいずれかに記載の液晶表示装置において、該遮光性シートは熱可塑性フィルムで構成されていることを特徴とする。
【００１４】
（５）  上記（１）乃至（４）のいずれかに記載の液晶表示装置において、該遮光性シートは導電性を有していることを特徴とする。
【発明の効果】
【００１５】
本発明によれば、筐体と液晶表示パネルとの間に遮光性フィルムが配置し、該筐体の額縁部分の開口部側端部には、該液晶表示パネルに向かう突起が形成されているため、該突起で遮光性フィルムを押さえることで、筺体と液晶表示パネルとの隙間を確実に封止すると共に、該突起を利用して遮光性フィルムを切除できる。このため、狭額縁の筺体であっても、光漏れを抑制し、気密性を高め、更には美観的に優れた液晶表示装置を提供することができる。
【図面の簡単な説明】
【００１６】
【図１】本発明の液晶表示装置の概略を示す断面図である。
【図２】本発明の液晶表示装置の遮光性フィルムの取付工程を説明する図である。
【図３】本発明の液晶表示装置に利用する遮光性フィルムの取付部分の拡大図である。
【図４】本発明の液晶表示装置に利用する他の遮光性フィルムの取付部分の拡大図である。
【発明を実施するための形態】
【００１７】
本発明に係る液晶表示装置について、以下に詳細に説明する。図１は、本発明の液晶表示装置の概略を示す断面図であり、図１（ｂ）は、図１（ａ）の点線Ａの領域の拡大図を示す。
【００１８】
本発明の液晶表示装置は、対向する２枚の透明基板の間に液晶層を配置した液晶表示パネルＬＣＰと、該液晶表示パネルの画像表示領域に対応して開口部を備えると共に、該開口部を形成する額縁部分で該液晶表示パネルの周辺部分を保持する筐体ＵＦＲとを有する液晶表示装置において、該筐体と該液晶表示パネルとの間に遮光性フィルムＦＭ１が配置され、該筐体の該額縁部分の開口部側端部には、該液晶表示パネルに向かう突起１が形成されていることを特徴とする。
【００１９】
図１に示す液晶表示装置のように、筐体ＵＦＲの内部には、液晶表示パネルＬＣＰと、バックライトが収容されている。液晶表示パネルＬＣＰを構成する、ガラスやプラスチックなどの透明基板には、液晶を駆動する駆動電極、スイッチング素子である薄膜トランジスタ、駆動信号等を給電する配線、並びにカラーフィルタなどが形成されている。そして、２枚の透明基板を対向配置し、その間に液晶層を封止すると共に、透明基板の外側には偏光板などが設けられている。
【００２０】
バックライトは、発光ダイオードなどの光源ＬＥＤと、光源からの光を導波する導光板ＬＧ、導光板の裏側に配置され光を反射する反射シートＲＦ、導光板の表側に配置され、液晶表示パネルを均一に照明するための拡散シートやプリズムシートを重ね合わせた光学シートＯＳなどから構成されている。
【００２１】
バックライトを構成する各部材は、樹脂製のモールドフレームＭＦＲ、金属製又は樹脂製の下フレームＳＦＲなどで、配置・固定されている。さらに、液晶表示パネルＬＣＰは、モールドフレームＭＦＲ上に遮光シートＬＳを介して配置されている。また、金属製又は樹脂製の筐体ＵＦＲにより、液晶表示パネルＬＣＰの周辺部分がモールドフレームに押し付けられ、保持されている。筐体ＵＦＲには、開口部が形成されており、液晶表示パネルの画像はこの開口部を通して観察される。
【００２２】
本発明の液晶表示装置には、液晶表示パネルを保持する筐体ＵＦＲの額縁部分に、遮光性フィルムＦＭ１を配置している。遮光性フィルムは、遮光性を有する樹脂性シートであれば良いが、後述するように、筐体の額縁部分を利用して容易に切断できる材料で形成することが好ましく、さらには、熱可塑性や導電性を有するフィルムで構成することがより好ましい。
【００２３】
熱可塑性フィルムを利用することで、フィルムを液晶表示装置内に配置し、加熱変形させることで、液晶表示パネルや筐体などとの密着性を高め、より密閉性の高い状態を実現することが可能となる。そして、液晶表示パネルと筐体との間からの光漏れを抑制することができる。
【００２４】
また、導電性フィルムを利用することで、液晶表示パネルＬＣＰの表面に形成されたＩＴＯなどの帯電防止用導電膜を、筐体に電気的に接続し、接地する役割を果たす。このため、接地のための構成や接続作業を省略することができる。
【００２５】
本発明の液晶表示装置には、図１（ｂ）に示すように、筐体ＵＦＲの額縁部分の開口部側の端部には、液晶表示パネルＬＣＰに向かう突起１が形成されている。この突起１は、遮光性フィルムＦＭ１に食い込み、遮光性フィルムの移動を阻止している。このため、遮光性フィルムは、筐体ＵＦＲの額縁部分に沿って切除でき、残った遮光性フィルムＦＭ１は、筐体ＵＦＲの額縁部分と液晶表示パネルとの間に密着して配置されることとなる。また、突起１により、筐体の額縁部分が狭額縁となった場合でも、遮光性フィルムを強固に保持できる。
【００２６】
突起１は、筐体を製造する際の型枠や金型などに、突起に対応した部分を設けることも可能であるが、金属製の筐体の場合には、筐体を打抜き加工する際に発生するバリを、突起１として利用することも可能である。
【００２７】
図２は、本発明の液晶表示装置に製造工程の一部を示すものであり、特に遮光性フィルムＦＭの設置方法を説明するものである。図２（ａ）のように、バックライトの上に液晶表示パネルＬＣＰを配置し、液晶表示パネルＬＣＰの上に遮光性フィルムＦＭが重ねられる。遮光性フィルムＦＭの上には、筐体ＵＦＲが、遮光性フィルムＦＭ、液晶表示パネルＬＣＰ、及び下フレームＳＦＲやモールドフレームＭＦＲで組み立てられたバックライトを収納するように準備される。
【００２８】
図２（ｂ）に示すように、筐体ＵＦＲは遮光性フィルムＦＭを液晶表示パネルＬＣＰとで挟み込むように組み立てられる。このとき、筐体ＵＦＲの開口部を形成する額縁部分で、遮光性フィルムＦＭが押さえられる。そして、当該額縁部分の状態を示す図３（ａ）のように、額縁部分には突起１が形成されているため、より強固に遮光性フィルムＦＭを保持することが可能となる。
【００２９】
筐体ＵＦＲは枠状であるため、遮光性フィルムＦＭも液晶表示パネルＬＣＰの周囲を覆うように、枠状に形成されることになる。このように、遮光性フィルムＦＭは筐体ＵＦＲを利用して配置・固定されるため、遮光性フィルムＦＭの位置は、筐体ＵＦＲに対して容易に精度良く設定することが可能である。
なお、遮光性フィルムＦＭに紫外線で硬化する成分等を含有させたものを用いた場合には、筐体ＵＦＲで遮光性フィルムＦＭを枠状に覆った後に、紫外線を照射し露出した遮光性フィルムＦＭを硬化させて、遮光性フィルムＦＭの切断性を向上させることも可能である。
【００３０】
図２（ｃ）に示すように、遮光性フィルムの一部ＦＭ２は、筐体ＵＦＲの額縁部分に沿って切除される。図３（ｂ）に示すように、突起１により遮光性フィルムは、額縁部分の端部で切除されるため、筐体の開口部に食み出す遮光性フィルムの部分が殆どないため、美観的にも優れた液晶表示装置を手依拠することが可能となる。
【００３１】
また、液晶表示パネルＬＣＰの上にも遮光性フィルムＦＭ１が形成されているため、遮光性フィルムＦＭ１は液晶表示パネルＬＣＰと筐体ＵＦＲとの隙間を埋める役割を果たす。また、遮光性フィルムＦＭを、液晶表示パネルＬＣＰだけでなく、モールドフレームＭＦＲを覆うように配置することで、モールドフレームＭＦＲと液晶表示パネルＬＣＰとの間に配置される遮光シートＬＳとも相まって、光漏れをより一層抑制することができる。
【００３２】
遮光性フィルムに熱可塑性フィルムを利用する場合には、図２（ｂ）のように遮光性フィルムを配置した状態、又は図２（ｃ）のように遮光性フィルムの一部ＦＭ２を除去した状態で、遮光性フィルムに熱を加え、遮光性フィルムを液晶表示パネル等に密着させ、密閉性を高めることが可能となる。
【００３３】
図４は、遮光性フィルムに、凹部やミシン目などの切り込み２を予め形成したものを示している。このような切り込み２を設けることで、遮光性フィルムの切除を容易に行うことができる。図４（ａ）のように、筐体ＵＦＲの突起１で遮光性フィルムＦＭを抑えた状態で、突起１の左側の遮光性フィルムの切除作業をおこなうと、突起１の近傍の切り込み２を利用して、容易に切除することができる。このような切り込みは、遮光性フィルムに複数準備されており、額縁部分の端部に最も近い切り込みから切断することで、遮光性フィルムＦＭ１を、筐体ＵＦＲに対して容易に精度良く配置することが可能となる。さらに、切り込みは、切断が容易であれば、その形状にこだわる必要はない。また、切り込みは、直線に限るものでもなく曲線であっても良い。
【産業上の利用可能性】
【００３４】
以上のように、本発明によれば、狭額縁や薄型化を達成しながら、光漏れを抑制し、気密性を高め、更には美観的に優れた液晶表示装置を提供することが可能となる。
【符号の説明】
【００３５】
１  突起
２  切り込み
ＦＭ、ＦＭ１〜２  遮光性フィルム
ＬＣＰ  液晶表示パネル
ＬＥＤ  光源
ＬＧ  導光板
ＬＳ  遮光シート
ＭＦＲ  モールドフレーム
ＯＳ  光学シート
ＲＦ  反射シート
ＳＦＲ  下フレーム
ＵＦＲ  筐体
【図１】
2011075974.tif 000003
【図２】
2011075974.tif 000004
【図３】
2011075974.tif 000005
【図４】
2011075974.tif 000006